(57)【要約】【課題】杖の先端部から爪等の滑り止めを出し入れする操作部の操作性を向上した杖を提供することにある。【解決手段】把手部２と、石突き部３と、前記把手部２と前記石突き部３との間に設けられたロッド部４とを備え、前記把手部２に設けられた操作部５を操作することにより、前記石突き部３から爪部２１が出し入れされる駆動機構を有する杖１であって、前記操作部５を、前記把手部２の上部に沿って移動可能に構成する。【選択図】図１
2009011490.tif 000002
【特許請求の範囲】
【請求項１】
把手部と、
石突き部と、
前記把手部と前記石突き部との間に設けられたロッド部とを備え、
前記把手部に設けられた操作部を操作することにより、前記石突き部から爪部が出し入れされる駆動機構を有する杖であって、
前記操作部は、前記把手部の上部に沿って移動可能に構成されていること
を特徴とする杖。
【請求項２】
前記駆動機構は、回動レバーと、前記回動レバーに摺動可能に設けられたローラとを備え、
前記操作部を操作することにより、前記ローラを摺動させて前記回動レバーを回動し、前記爪部を前記石突き部から突出させること
を特徴とする請求項１に記載の杖。
【請求項３】
前記駆動機構は、傾斜を有するガイド部材と、前記ガイド部材と摺動可能に設けられたローラとを備え、
前記操作部を操作することにより、前記ガイド部材の傾斜に沿って前記ローラを摺動させて、前記爪部を前記石突き部から突出させること
を特徴とする請求項１に記載の杖。
【請求項４】
前記操作部は、前記把手部の上面に沿って平行に移動するスライド移動が可能な摘み部であること
を特徴とする請求項１から請求項３のいずれか１項に記載の杖。
【発明の詳細な説明】
【技術分野】
【０００１】
本発明は、老人、身障者等が使用するのに便利な、簡単な操作で滑り止め用の爪が出入りできるようにした杖に関する。
【背景技術】
【０００２】
従来、老人、身障者等が外出するときは、危険防止のため先端に滑り止めがついた杖を使用するのが一般的である。特に、寒冷地においては冬季間、凍結路面となり易くなるため、杖の先端に爪等の滑り止めを設けることは重要である。
【０００３】
一方、建物に出入りする際には、爪等によって建物に傷をつけたり、人を傷つけたりしないように、爪等を収納する必要がある。
【０００４】
このため、建物に出入りする際には、把手に設けられた操作部を操作することにより、杖の内部に爪を収納することができるものが知られている（例えば、特許文献１参照）。
【０００５】
また、いわゆるノック式を採用した操作部を、把手の上部に設けたものも提案されている。
【０００６】
【特許文献１】特開２００３−３１９８１０号公報
【発明の開示】
【発明が解決しようとする課題】
【０００７】
しかし、図８に示すように、特許文献１に記載された杖１００は、操作部である操作レバー１０５を把手１０２の前端部に設けているので、杖の使用者は、片手で操作部を操作することができないという問題がある。すなわち、片手で杖、もう片方の手で荷物を持っているような場合には、使用者は、一旦荷物を地面においてからでないと、操作レバー１０５を操作できないという問題が生じる。また、アームの長い操作レバー１０５を用いているため、操作レバーの移動量が大きくなり、特に力の弱い老人にとっては、操作レバーの操作が難しいという問題がある。
【０００８】
また、図９に示すように、把手１０２の上部にいわゆるノック式の操作部１０５を採用した杖１００においては、先端部から爪を出し入れするためにノックのストロークを大きくする必要があるため、操作部を操作するにはある程度の力が必要となり、操作部の操作性が悪くなるという問題がある。
【０００９】
本発明の目的は、上記のような問題点を考慮し、杖の先端部から爪等の滑り止めを出し入れする操作部の操作性を向上させた杖を提供することにある。
【課題を解決するための手段】
【００１０】
本発明は、上記のような目的を達成するためになされたものであり、この目的は、下記（１）〜（４）の発明によって達成される。
【００１１】
（１）把手部と、
石突き部と、
前記把手部と前記石突き部との間に設けられたロッド部とを備え、
前記把手部に設けられた操作部を操作することにより、前記石突き部から爪部が出し入れされる駆動機構を有する杖であって、
前記操作部は、前記把手部の上部に沿って移動可能に構成されていること
を特徴とする杖。
【００１２】
（２）前記駆動機構は、回動レバーと、前記回動レバーに摺動可能に設けられたローラとを備え、
前記操作部を操作することにより、前記ローラを摺動させて前記回動レバーを回動し、前記爪部を前記石突き部から突出させること
を特徴とする上記（１）に記載の杖。
【００１３】
（３）前記駆動機構は、傾斜を有するガイド部材と、前記ガイド部材と摺動可能に設けられたローラとを備え、
前記操作部を操作することにより、前記ガイド部材の傾斜に沿って前記ローラを摺動させて、前記爪部を前記石突き部から突出させること
を特徴とする上記（１）に記載の杖。
【００１４】
（４）前記操作部は、前記把手部の上面に沿って平行に移動するスライド移動が可能な摘み部であること
を特徴とする上記（１）から（３）のいずれかに記載の杖。
【発明の効果】
【００１５】
本発明に係る杖によれば、先端部から爪部を出し入れする操作部を、把手の上部に沿って移動させるように構成したので、操作部の操作性を向上させることができる。
【発明を実施するための最良の形態】
【００１６】
以下、本発明に係る杖を実施するための一実施の形態について、図面を参照して説明するが、本発明は以下の実施の形態に限定されるものではない。
【００１７】
＜第１実施形態＞
まず、本発明の杖の第１実施形態について説明する。
【００１８】
図１は、本発明の一実施の形態に係る杖１の全体構成図を示したものである。また、図２は、図１中の杖の概略縦断面図であり、図３は、図１中の杖を上方からみた際の平面図である。
【００１９】
図１に示すように、本実施の形態に係る杖１は、上端部においてＴ字状に延出する把手を設けた把手部２と、下端部に設けた石突き部３と、上記把手部２と上記石突き部３との間に設けられる中空状のロッド部４とを備えて構成されている。把手２には、上部に沿って移動可能な操作部５としてのつまみ１０が設けられている。
【００２０】
図２は、本発明の実施の形態に係る杖１の概略縦断面図である。
図２に示すように、把手部２の上面２ａには、把手２の長手方向に沿ってスライド孔１２が形成されている。すなわち、図３に示すように、把手２の上面２ａには、把手２の長手方向に沿ってスライド孔１２が形成されている。このスライド孔１２には、つまみ１０が設けられており、つまみ１０の一部は、把手２の内部に設けられた支持枠１３と摺動可能に係合している。つまみ１０には、上方に延出する突部１０ａが形成されている。使用者は、この突部１０ａを把持してスライド孔１２に沿って動かすことにより、つまみ１０を、把手２の上面２ａに平行にスライド移動させることができる。なお、支持枠１３にも、スライド孔１２が形成されている。
【００２１】
つまみ１０には、ローラ保持部材１１を介して、２個または一対の回転ローラ７と固定ローラ８とが一体に取り付けられている。回転ローラ７と固定ローラ８は、回転ローラ７が下側、固定ローラ８が上側となるように配置されている。上側の固定ローラ８は、支持枠１３と摺動可能となるように配置されている。
【００２２】
また、把手部２の内部には、略くの字状に屈曲した回動レバー６が、開口を上向きにして、回動軸９を介して、支持枠１３に取り付けられている。回動レバー６の先端部６ａは、基端軸部材１５の先端部に設けられた係合突起１６と接触するように配置されている。
【００２３】
回転ローラ７は、回動レバー６の屈曲部分に接触するように配置されている。つまみ１０を使用者側へスライド移動させると、回転ローラ７は、回動レバー６の形状に沿って摺動しながら移動する。その結果、回動レバー６の先端６ａは、回転ローラ６からの押圧力によって、回動軸９を支点として下側へ押し下げられ、基端軸部材１５も軸方向に沿って下方に押し下げられる。
【００２４】
円筒棒状の基端軸部材１５は、ロッド部材４の上端部に挿着されたガイド部材１４に形成された挿通孔１４ａに挿通されている。挿通孔１４ａから延出した基端軸部材１５の他端部は、ロッド部材４の内部に設けられた軸保持部材１８に挿着される。この軸保持部材１８は、中空の円筒状部材であるリンク部材１７の上側端部に嵌合されている。
【００２５】
リンク部材１７の下側端部には、軸保持部材１９が嵌合されている。この軸保持部材１９には、円筒棒状の先端軸部材２０が挿着されている。先端軸部材２０の先端部には、爪部である爪２１が形成されている。爪２１は、滑り止めの機能を持たせるために先端が鋭利なテーパ形状を有するように構成されている。また、軸保持部材１９とロッド部材４の先端部との間には、１本または複数本のバネ部材２２が設けられている。バネ部材２２は、リンク部材１７を上方へ押し上げる付勢力を軸保持部材１９へ付与してする。
【００２６】
ロッド部材４の先端に設けられた石突き部３の中心部には、貫通孔２３が形成されており、この貫通孔２３を通じて、先端軸部材２０の先端に形成された爪２１が、石突き部３から出し入れされる。
【００２７】
上述したように、つまみ１０を使用者側にスライド移動させて、基端軸部材１５を下方に押し下げると、バネ部材２２の付勢力に抗しながら、リンク部材１７は軸方向に押し下げられる。この結果、先端軸部材２０も下方に移動して、石突き部材３の貫通孔２３から爪２１が突出する。また、支持枠１３には、この状態で固定ローラ８を係合固定するための係合部１３ａが形成されているので、使用者がつまみ１０を離しても、石突き部３から爪２１が突出した状態を維持することができる。
【００２８】
本実施形態では、石突き部３から爪２１を出し入れするための駆動機構は、回動レバー６、回転ローラ７、固定ローラ８、基端軸部材１５、リンク部材１７、先端軸部材２０等により構成されている。
【００２９】
なお、つまみ１０を使用者側と反対側にスライド移動させると、固定ローラ８と支持枠１３との係合が解除されて、バネ部材２２の付勢力によって、リンク部材１７は軸方向に押し上げられる。この結果、先端軸部材２０も上方に移動して、爪２１は石突き部材３に収納される。
【００３０】
また、本実施の形態の杖１では、つまみ１０がスライド移動する際の距離（つまみ移動量）と、石突き部材３から爪２１が突出する際の距離（アイスピック移動量）との関係が最適になるように、回動レバー６の略くの字型の形状が構成されている。すなわち、本実施の形態では、図４のグラフに示すように、つまみ１０の移動量と、爪２１の移動量が略比例の関係となるよう回動レバー６を構成し、回動レバー６の先端部６ａの運動量と、基端軸部材１５の運動量を等しくして、運動量の無駄を少なくしている。
【００３１】
本実施形態の杖１では、石突き部３から爪２１を出し入れする場合には、回転ローラ７が、回動レバー６の上を摺動しながら移動する構成であるので、回動レバー６を移動させる際に発生するエネルギー損失は、回転ローラ７の回動レバー６に対する転がり摩擦に起因するものだけである。また、回動レバー６が回動する際に発生するエネルギー損失も、回動軸９との摩擦に起因するものだけである。さらには、回動レバー６により基端軸部材１５を押す際に生じるエネルギー損失も、回動レバー６と基端軸部材１５との接触部分で発生するものだけである。すなわち、本実施形態の杖１によれば、操作部５によって石突き部３から爪２１を出し入れを行う際のエネルギー伝達ロスを少なくすることができ、お年寄りのような力の弱い使用者であっても、簡単に操作部５を操作して、石突き部３から爪２１を出すことができる。
【００３２】
また、本実施形態では、操作部５が把手部２の上面２ａにスライド移動可能に設けられており、また、上述したように弱い力で操作部５を操作することができるので、使用者は、例えば、荷物を持ったような状態であっても、把手部２を握っている片方の手だけで操作部５を操作し、爪２１を出し入れすることができる。
【００３３】
＜第２実施形態＞
つぎに、本発明の杖の第２実施形態について説明する。
【００３４】
図５は、本発明の実施の形態に係る杖１の概略縦断面図である。
図５において、図２と対応する部分には同一の符号を付してその説明を省略する。
【００３５】
図５に示すように、把手部２の上面２ａには、つまみ３０が設けられており、つまみ３０は、把手２の内部に設けられた回動軸９を介して回動可能に保持されている。つまみ３０は、把手部２ａの上面２ａから上方に延出している。使用者は、つまみ３０の先端を把持して回動させることにより、つまみ３０の上端部を把手２の上面２ａに沿って移動させることができる。
【００３６】
つまみ３０には、回転ローラ保持部材２９を介して、回転ローラ７が一体に取り付けられている。回転ローラ保持部材２９は、連結軸３１を介して、つまみ３０と連結している。回転ローラ７は、支持枠１３と摺動可能に配置されている。
【００３７】
また、把手部２の内部には、略くの字状に屈曲した回動レバー６が、開口を上向きにして、回動軸９を介して取り付けられている。回動レバー６の先端部６ａは、基端軸部材１５の先端部に設けられた係合突起１６と接触するように配置されている。
【００３８】
回転ローラ７は、回動レバー６の屈曲部分に接触するように配置されている。つまみ３０を、回動させて使用者側へ移動させると、連結軸３１を中心として回転ローラ保持部材２９が移動して、回転ローラ７は、回動レバー６の形状に沿って摺動しながら移動する。その結果、回転ローラ７からの押圧力によって、回動レバー６の先端６ａは、回動軸９を支点として下側へ押し下げられ、軸部材３２も軸方向に沿って下方に押し下げられる。
【００３９】
円筒棒状の軸部材３２は、ロッド部材４の上端部に挿着された軸保持部材１８に形成された挿通孔１８ａに挿通され、延出された部分は、ロッド部材４の下側端部に嵌合された軸保持部材１９の挿通孔１９ａに挿通されている。軸部材３２の先端部には、爪部である爪２１が形成されている。爪２１は、滑り止めの機能を持たせるために先端が鋭利なテーパ形状となるように構成されている。また、軸保持部材１９とロッド部材４の先端部との間には、２本のバネ部材２２が設けられている。バネ部材２２は、軸部材３２を押し上げる付勢力を軸保持部材１９へ与えている。
【００４０】
ロッド部材４の先端に設けられた石突き部３の中心部には、貫通孔２３が形成されており、この貫通孔２３を通じて、軸部材３２に形成された爪２１が、石突き部３から出し入れされる。
【００４１】
上述したように、つまみ３０を使用者側に移動させて、バネ部材２２の付勢力に抗しながら、軸部材３２を下方に押し下げると、石突き部材３の貫通孔２３から爪２１が突出する。また、支持枠１３には、この状態でローラ７を係合固定するための係合部１３ａが形成されているので、使用者がつまみ３０を離しても、石突き部３から爪２１が突出した状態を維持することができる。
【００４２】
本実施形態では、石突き部３から爪２１を出し入れするための駆動機構は、回動レバー６、回転ローラ７、固定ローラ８、軸部材３２等により構成される。
【００４３】
なお、つまみ３０を使用者側と反対側に移動させると、回転ローラ７と支持枠１３との係合が解除されて、バネ部材２２の付勢力によって、軸部材３２も上方に移動して、爪２１は石突き部材３に収納される。
【００４４】
本実施形態の杖によれば、第１の実施形態で述べた効果に加えて、回動力を利用してつまみ３０を移動させるので、把手部２の上面２ａから突出するつまみ３０の長さを長くすることにより、小さな力で石突き部３から爪２１をだすことができる。
【００４５】
＜第３実施形態＞
つぎに、本発明の杖の第３実施形態について説明する。
【００４６】
図６は、本発明の実施の形態に係る杖１の概略縦断面図である。
図６において、図５と対応する部分には同一の符号を付してその説明を省略する。
【００４７】
図６に示すように、把手部２の上面２ａには、把手２の長手方向に沿ってスライド孔１２が形成されている。このスライド孔１２には、つまみ１０が設けられており、つまみ１０には、上方に延出する突部１０ａが形成されている。使用者は、この突部１０ａを把持してスライド孔１２に沿って動かすことにより、つまみ１０を、把手２の上面２ａに平行にスライド移動させることができる。
【００４８】
把手部２の内部には、レール支持軸３７に支持されたレール部材３５が設けられている。レール部材３５は、把手部２の上面２ａと平行になるように配置されている。レール部材３５には、レール部材３５に沿って移動可能なガイド部材３３が取り付けられている。ガイド部材３３の上部には、つまみ１０が一体に取り付けられている。ガイド部材３３は、くさび形状を有するように構成されており、すなわち、ガイド部材３３の先端には下向きの傾斜３４が設けられている。
【００４９】
また、把手部２の内部には、回転ローラ支持軸３６を介して、回転ローラ７が設けられている。回転ローラ７は、ガイド部材３３の傾斜３４の先端と接触する位置に配置されている。また、回転ローラ支持軸３６は、軸部材３２の上部に一体に設けられた支持軸保持部材３８に、取り付けられている。
【００５０】
つまみ１０を使用者側へスライド移動させると、ガイド部材３３がレール部材３５に沿って移動し、回転ローラ７は、ガイド部材３３の傾斜３４の形状に沿って摺動しながら移動する。その結果、ガイド部材３３からの押圧力によって、回転ローラ７は、支持軸保持部材３８とともに下側へ押し下げられ、これに伴い、軸部材３２も軸方向に沿って下方に押し下げられる。
【００５１】
円筒棒状の軸部材３２は、ロッド部材４の上端部に挿着された軸保持部材１８に形成された挿通孔１８ａに挿通され、延出された部分は、ロッド部材４の下側端部に嵌合された軸保持部材１９の挿通孔１９ａに挿通されている。軸部材３２の先端部には、爪部である爪２１が形成されている。爪２１は、滑り止めの機能を持たせるために先端が鋭利なテーパ形状となるように構成されている。また、軸保持部材１９とロッド部材４の先端部との間には、２本のバネ部材２２が設けられている。バネ部材２２は、軸部材３２を押し上げる付勢力を軸保持部材１９へ与えている。
【００５２】
ロッド部材４の先端に設けられた石突き部３の中心部には、貫通孔２３が形成されており、この貫通孔２３を通じて、軸部材３２に形成された爪２１が、石突き部３から出し入れされる。
【００５３】
上述したように、つまみ１０を使用者側に移動させて、バネ部材２２の付勢力に抗しながら、軸部材３２を下方に押し下げると、石突き部材３の貫通孔２３から爪２１が突出する。また、つまみ３０を使用者側と反対側に移動させると、バネ部材２２の付勢力によって、軸部材３２も上方に移動して、爪２１は石突き部材３に収納される。
【００５４】
なお、本実施の形態では、石突き部３から爪２１を出し入れするための駆動機構は、回転ローラ７、ガイド部材３３、レール部材３５、軸部材３２等により構成される。
【００５５】
本実施形態の杖によれば、ガイド部材３３をレール部材３５に沿って直線的に移動させる構成としたので、ガイド部材３３等の駆動機構を収納する把手内部の空間を小さくすることができる。
【００５６】
＜第４実施形態＞
つぎに、本発明の杖の第４実施形態について説明する。
【００５７】
図７は、本発明の実施の形態に係る杖１の概略縦断面図である。
図７において、図６と対応する部分には同一の符号を付してその説明を省略する。
【００５８】
図７に示すように、把手部２の上面２ａには、把手２の長手方向に沿ってスライド孔１２が形成されている。このスライド孔１２には、つまみ１０が設けられており、つまみ１０には、上方に延出する突部１０ａが形成されている。使用者は、この突部１０ａを把持してスライド孔１２に沿って動かすことにより、つまみ１０を、把手２の上面２ａに平行にスライド移動させることができる。
【００５９】
把手部２の内部には、レール支持軸３７に支持されたレール部材３５が設けられている。レール部材３５は、把手部２の上面２ａと平行になるように配置されている。レール部材３５には、レール部材３５に沿って移動可能なガイド部材３３′が取り付けられている。ガイド部材３３′は、レール部材３５に係合するガイド本体３３′ａと、傾斜３４を有するガイド傾斜部３３′ｂとから構成されている。ガイド本体３３′の上部には、つまみ１０が一体に取り付けられている。また、ガイド傾斜部３３′ｂは、くさび形状を有するように構成されており、ガイド本体３３′ａの下側に取り付けられている。
【００６０】
また、把手部２の内部には、回転ローラ支持軸３６を介して、回転ローラ７が設けられている。回転ローラ７は、ガイド傾斜部３３′ｂの傾斜３４の先端と接触する位置に配置されている。回転ローラ支持軸３６は、軸部材３２の上部に一体に設けられた支持軸保持部材３８に取り付けられている。
【００６１】
つまみ１０を使用者側へスライド移動させると、ガイド部材３３′がレール部材３５に沿って移動し、回転ローラ７は、ガイド傾斜部３３′ｂの傾斜３４の形状に沿って摺動しながら移動する。その結果、ガイド部材３３′からの押圧力によって、回転ローラ７は、支持軸保持部材３８とともに下側へ押し下げられ、軸部材３２も軸方向に沿って下方に押し下げられる。
【００６２】
円筒棒状の軸部材３２は、ロッド部材４の上端部に挿着された軸保持部材１８に形成された挿通孔１８ａに挿通され、延出された部分は、ロッド部材４の下側端部に嵌合された軸保持部材１９の挿通孔１９ａに挿通されている。軸部材３２の先端部には、爪部である爪２１が形成されている。爪２１は、滑り止めの機能を持たせるために先端が鋭利なテーパ形状となるように構成されている。また、軸保持部材１９とロッド部材４の先端部との間には、２本のバネ部材２２が設けられている。バネ部材２２は、軸部材３２を押し上げる付勢力を軸保持部材１９へ与えている。
【００６３】
ロッド部材４の先端に設けられた石突き部３の中心部には、貫通孔２３が形成されており、この貫通孔２３を通じて、軸部材３２に形成された爪２１が、石突き部３から出し入れされる。
【００６４】
上述したように、つまみ１０を使用者側に移動させて、バネ部材２２の付勢力に抗しながら、軸部材３２を下方に押し下げると、石突き部材３の貫通孔２３から爪２１が突出する。つまみ３０を使用者側と反対側に移動させると、バネ部材２２の付勢力によって、軸部材３２も上方に移動して、爪２１は石突き部材３に収納される。
【００６５】
なお、本実施の形態では、石突き部３から爪２１を出し入れするための駆動機構は、回転ローラ７、ガイド部材３３′、レール部材３５、軸部材３２等により構成される。
【００６６】
本実施形態の杖によれば、ガイド部材３３′をレール部材３５に沿って直線的に移動させる構成としたので、ガイド部材３３等の駆動機構を収納する把手内部の空間を小さくすることができる。
【００６７】
なお、本発明の杖は、上述の各形態に限定されるものではなく、その他材料、構成等において本発明の構成を逸脱しない範囲において種々の変形、変更が可能であることはいうまでもない。
【図面の簡単な説明】
【００６８】
【図１】本発明の一実施形態に係る杖の構成図である。
【図２】本発明の一実施形態に係る杖の概略縦断面図である。
【図３】図１中の杖を上方からみた際の平面図である。
【図４】つまみの移動量と爪の移動量との関係を示すグラフである。
【図５】本発明の一実施形態に係る杖の概略縦断面図である。
【図６】本発明の一実施形態に係る杖の概略縦断面図である。
【図７】本発明の一実施形態に係る杖の概略縦断面図である。
【図８】従来の杖の例を示す概略縦断面図である。
【図９】従来の杖の例を示す概略縦断面図である。
【符号の説明】
【００６９】
１・・杖、２・・把手部、２ａ・・上面、３・・石突き部、４・・ロッド部、５、５’・・操作部、６・・回動レバー、７・・回転ローラ、８・・固定ローラ、９・・回動軸、１０・・つまみ、１１・・ローラ保持部材、１２・・スライド孔、１３・・支持枠、１３ａ・・係合部、１４・・ガイド部材、１５・・基端軸部材、１６・・係合突起、１７・・リンク部材、１８・・軸保持部材、１９・・軸保持部材、２０・・先端軸部材、２１・・爪、２２・・バネ部材、２３・・貫通孔、２９・・回転ローラ保持部材、３０・・つまみ、３１・・回動軸、３２・・軸部材、３３、３３′・・ガイド部材、３４・・傾斜、３５・・レール部材、３６・・ローラ支持軸、３７・・レール支持軸、３８・・支持軸保持部材
【図１】
2009011490.tif 000003
【図２】
2009011490.tif 000004
【図３】
2009011490.tif 000005
【図４】
2009011490.tif 000006
【図５】
2009011490.tif 000007
【図６】
2009011490.tif 000008
【図７】
2009011490.tif 000009
【図８】
2009011490.tif 000010
【図９】
2009011490.tif 000011